(57)【要約】【課題】メンテナンス時に地下水などの排出水を下水放流することを不要にでき、効率的且つ経済的で好適な運転を実現することを可能にするリチャージシステム及びリチャージ工法を提供する。【解決手段】地上で対象水Ｗ１に酸化剤Ｐを添加する酸化剤添加手段１と、酸化剤添加手段１で酸化剤Ｐを添加した対象水Ｗ１を一時的に貯留する原水タンク２と、原水タンク２から送られた対象水Ｗ１をろ過装置１１でろ過する除去処理手段３と、除去処理手段３で処理した後の対象水Ｗ２を地中に注水するための注水井戸４とを備える。原水タンク３は、ろ過装置１１を逆洗する洗浄頻度及び／又は洗浄時間に応じて容量を設定する。【選択図】図１
2018197469.tif 000002
【特許請求の範囲】
【請求項１】
地上で対象水に酸化剤を添加する酸化剤添加手段と、
前記酸化剤添加手段で前記酸化剤を添加した対象水を一時的に貯留する原水タンクと、
前記原水タンクから送られた対象水をろ過装置でろ過して対象水中の不溶性物質を除去する除去処理手段と、
前記除去処理手段で処理した後の対象水を地中に注水するための注水井戸とを備え、
前記原水タンクは、前記ろ過装置を逆洗する洗浄頻度及び／又は洗浄時間に応じて対象水を貯留するための容量が設定されていることを特徴とするリチャージシステム。
【請求項２】
請求項１記載のリチャージシステムにおいて、
前記原水タンクが、前記対象水を一時的に貯留するための容量を有する貯留部と、
前記化剤添加手段から送られた対象水を受ける供給口、及び前記供給口から供給されて流通した対象水を前記貯留部に送出するための排出口を有し、前記供給口から供給された対象水が前記排出口から前記貯留部に排出されるまでの流路長／容積が必要流路長／容積となるように構成した反応部を備えていることを特徴とするリチャージシステム。
【請求項３】
請求項２記載のリチャージシステムにおいて、
前記反応部の前記供給口から前記排出口までの流路を流通する対象水の流通方向及び／又は流速及び／又は流量を制御するための対象水流通制御手段を備えていることを特徴とするリチャージシステム。
【請求項４】
地上で対象水に酸化剤を添加し、
該酸化剤を添加した対象水を一時的に原水タンクで貯留し、
前記原水タンクから送られた対象水をろ過装置でろ過して対象水中の不溶性物質を除去し、
前記不溶性物質を除去処理した後の対象水を注水井戸から地中に注水するリチャージ工法であって、
前記原水タンクは、前記ろ過装置を逆洗する洗浄頻度及び／又は洗浄時間に応じて対象水を貯留するための容量が設定され、
前記注水井戸から対象水を地中に注水するリチャージを停止して前記ろ過装置を逆洗する際に、前記酸化剤を添加した対象水を前記原水タンクに送り続けるようにしたことを特徴とするリチャージ工法。
【発明の詳細な説明】
【技術分野】
【０００１】
本発明は、掘削工事等で用いられるリチャージ工法のシステム及びリチャージ工法に関する。
【背景技術】
【０００２】
一般に、地下掘削工事においては、掘削工事部分の水分を適度に抑えるため、掘削前に予め掘削部分の地下水を地表近くに汲み上げ、地下水位を低下させた状態で掘削を行うケースが多い。このとき、地下水放流量を削減するとともに、現場周辺の水位低下による影響を低減するために、汲み上げた地下水を再び地中に戻すリチャージ工法が多用されている。
【０００３】
一方、従来のリチャージ工法においては、注水井戸（リチャージウェル）のスクリーン近傍の地盤の目詰まり現象が発生しやすく、注水井戸の通水性能／注水性能を長期にわたって維持することが難しい。このため、地表に汲み上げた地下水に含まれる目詰まり物質を取り除くための種々の技術が提案、実用化されている。
【０００４】
例えば、特許文献１には、筒状の中空管体と、中空管体内の中心部に設けられた筒状のフィルター部とを備えた目詰まり防止装置（リチャージシステム）が開示されている。
【０００５】
この目詰まり防止装置では、中空管体の内周とフィルター部の外周との間に環状空間を形成し、環状空間内に、工事発生水、雨水や地下水等が含まれた排出水を接線方向から水平線に対して下方を向くような旋回流が起こるように導入する。このとき、遠心力と重力差とにより排出水中の重量の大きな異物が落下するとともに重量の小さい異物が上方に浮上し、これら異物をフィルター部でろ過して除去することができる。
【０００６】
しかしながら、上記の目詰まり防止装置は粘土粒子等の浮遊物質（Ｓｕｓｐｅｎｄｅｄ  ｓｏｌｉｄｓ：ＳＳ）成分の除去を主な目的としたものであるため、この目詰まり防止装置を用いたとしてもリチャージ工法の目詰まり現象の発生を十分に抑えることが難しい。
【０００７】
また、注水井戸の通水性能を回復させるために、リチャージを中止して時間をかけて注水井戸の逆洗を行った場合でも、注水井戸近傍の地盤が目詰まりしていると、通水性能を初期の状態まで回復させることが難しい。
【０００８】
これに対し、本願の発明者ら／出願人は、鋭意検討を行い、注水井戸付近の地盤の目詰まりが土粒子等のＳＳ成分の他に、地下水（排出水）に含まれる鉄成分が大きく関与していることを突き止め、例えば注水井戸の注水部（スクリーン）近傍に三価鉄が到達すること防止するための地下水の処理方法を発明し、既に特許出願を行っている（特願２０１６−０７５４１７）。
【０００９】
また、本願の発明者ら／出願人は、バネ式フィルターの表面にプリコート材を付着させ、このバネ式フィルター及びプリコート材で地下水をろ過することにより、精密なろ過を高速、且つ低圧で実現できるとともに三価鉄等を好適に除去できることを見出している。
【先行技術文献】
【特許文献】
【００１０】
【特許文献１】特許第４３７９０８６号公報
【発明の概要】
【発明が解決しようとする課題】
【００１１】
ここで、リチャージ工法においては、地上で、揚水した地下水中の目詰まり物質をフィルター／ろ過装置などを用いて取り除く。このため、必然的にフィルター／ろ過装置は処理水量の増大とともに目詰まりが進行してそのろ過性能が低下し、定期的なメンテナンス、例えば逆洗が必要になる。
【００１２】
そして、従来、フィルター／ろ過装置を逆洗などでメンテナンスする時にはリチャージすることができないため、この間に汲み上げた地下水を下水道へ放流せざるを得なかった。これにより、逆洗などのメンテナンスの頻度に応じて下水放流／リチャージのバルブ切り替えなどの煩雑な作業、操作が必要になるとともに、下水放流に伴う下水道使用料などの大きな費用負担が生じていた。
【００１３】
ここで、例えば図６はバネ式フィルターを用いて約１時間に１回の頻度で洗浄したケースを例示したものである。この図から、全体の処理に占める洗浄時間の影響が非常に大きいことが分かる。このように、従来手法ではメンテナンスに伴いリチャージを停止する頻度が多く、汲み上げた地下水を下水放流することに応じに伴って高コスト化するという問題があった。
【００１４】
本発明は、上記事情に鑑み、メンテナンス時に地下水などの排出水を下水放流することを不要にでき、効率的且つ経済的で好適な運転を実現することを可能にするリチャージシステム及びリチャージ工法を提供することを目的とする。
【課題を解決するための手段】
【００１５】
上記の目的を達するために、この発明は以下の手段を提供している。
【００１６】
本発明のリチャージシステムは、地上で対象水に酸化剤を添加する酸化剤添加手段と、前記酸化剤添加手段で前記酸化剤を添加した対象水を一時的に貯留する原水タンクと、前記原水タンクから送られた対象水をろ過装置でろ過して対象水中の不溶性物質を除去する除去処理手段と、前記除去処理手段で処理した後の対象水を地中に注水するための注水井戸とを備え、前記原水タンクは、前記ろ過装置を逆洗する洗浄頻度及び／又は洗浄時間に応じて対象水を貯留するための容量が設定されていることを特徴とする。
【００１７】
また、本発明のリチャージシステムにおいては、前記原水タンクが、前記対象水を一時的に貯留するための容量を有する貯留部と、前記化剤添加手段から送られた対象水を受ける供給口、及び前記供給口から供給されて流通した対象水を前記貯留部に送出するための排出口を有し、前記供給口から供給された対象水が前記排出口から前記貯留部に排出されるまでの流路長／容積が必要流路長／容積となるように構成した反応部を備えていることが望ましい。
【００１８】
さらに、本発明のリチャージシステムにおいては、前記反応部の前記供給口から前記排出口までの流路を流通する対象水の流通方向及び／又は流速及び／又は流量を制御するための対象水流通制御手段を備えていることがより望ましい。
【００１９】
本発明のリチャージ工法は、地上で対象水に酸化剤を添加し、該酸化剤を添加した対象水を一時的に原水タンクで貯留し、前記原水タンクから送られた対象水をろ過装置でろ過して対象水中の不溶性物質を除去し、前記不溶性物質を除去処理した後の対象水を注水井戸から地中に注水するリチャージ工法であって、前記原水タンクは、前記ろ過装置を逆洗する洗浄頻度及び／又は洗浄時間に応じて対象水を貯留するための容量が設定され、前記注水井戸から対象水を地中に注水するリチャージを停止して前記ろ過装置を逆洗する際に、前記酸化剤を添加した対象水を前記原水タンクに送り続けるようにしたことを特徴とする。
【発明の効果】
【００２０】
本発明のリチャージシステム及びリチャージ工法によれば、メンテナンス時に地下水などの排出水を下水放流することを不要にでき、効率的且つ経済的で好適な運転を実現することが可能になる。
【図面の簡単な説明】
【００２１】
【図１】本発明の一実施形態に係るリチャージシステムを示す図である。
【図２】本発明の一実施形態に係る原水タンクを示す図である。
【図３】本発明の一実施形態に係るリチャージ工法のサイクルタイムを示す図である。
【図４】サイクルタイム、処理流量を決定する方法を示すフロー図である。
【図５】バネフィルターの総表面積−１サイクルのろ過時間−バネ式フィルターの本数／長さ−対象水の鉄濃度の関係を示す図である。
【図６】従来の運転状況を示す図である。
【発明を実施するための形態】
【００２２】
以下、図１から図６を参照し、本発明の一実施形態に係るリチャージシステム及びリチャージ工法について説明する。
【００２３】
はじめに、本実施形態は、例えば、掘削工事等を行う現場に設置され、揚水井戸によって地中の帯水層内から地下水を揚水して地下水位を制御するとともに、汲み上げた地下水を所望の位置に設置した注水井戸（リチャージウェル）に導き、この注水井戸から地中に注水して戻すリチャージ工法、及びリチャージ工法のシステムに関するものである。
なお、本発明は、リチャージ工法が適用可能であれば、地盤の構造や揚水位置、注水位置を特に限定する必要はない。
【００２４】
また、本実施形態のリチャージシステム及びリチャージ工法においては、例えば、揚水した地下水に酸化剤を添加し、この本発明における対象水の地下水に溶存する二価鉄を酸化させて不溶性／難溶性の三価鉄とし、この三価鉄（不溶性物質）を地下水からろ過して除去した後に地下水を地中に戻すように構成されている。
【００２５】
具体的に、本実施形態のリチャージシステムＡは、図１及び図２に示すように、本実施形態の対象水である地下水を揚水するための揚水井戸（不図示）と、揚水井戸から汲み上げた地下水Ｗ１に酸化剤Ｐを添加する酸化剤添加手段１と、酸化剤Ｐを添加した後の地下水Ｗ１を一時的に貯留する原水タンク２と、原水タンク２から地下水Ｗ１を導入し、地下水Ｗ１中に存在するＳＳ成分等を除去する除去処理手段３と、除去処理手段３で処理した後の地下水Ｗ２を地中の帯水層に注水して返送するための注水井戸４とを備えて構成されている。
【００２６】
揚水井戸は、地中の帯水層から地下水を地上に汲み上げるための設備であり、例えば、土留めによって区画された掘削領域内に設けられたディープウェルを備えて構成されている。また、揚水井戸は、地下水位以深の帯水層内に配設されるスクリーン（集水部）を備え、このスクリーンを通じて地下水を内部に流入させ、集水可能に構成されている。
【００２７】
ここで、揚水井戸から揚水した地下水Ｗ１には一般に鉄が二価鉄として溶存しており、この地下水Ｗ１中に溶存した二価鉄が空気（酸素）に触れると不溶性／難溶性の三価鉄に変化する。このため、本実施形態のリチャージシステムＡでは、揚水井戸から酸化剤添加手段１までの間を揚水管で接続し、揚水井戸から地上に汲み上げた地下水Ｗ１が空気に触れることを防止し、地下水Ｗ１中の二価鉄が三価鉄に変化しないように構成されている。
【００２８】
酸化剤添加手段１は、揚水管で送られた地下水Ｗ１に酸化剤Ｐを添加し、主に、地下水Ｗ１中に溶存する二価鉄を三価鉄に酸化させるためのものであり、地下水Ｗ１に酸化剤Ｐを添加／供給するための酸化剤供給装置と、酸化剤Ｐを添加した地下水Ｗ１を撹拌する撹拌装置（混合装置）５とを備えている。なお、酸化剤添加手段１は、地下水Ｗ１に酸化剤Ｐを供給することが可能であれば、特にその構成を限定する必要はない。
【００２９】
酸化剤添加手段１で供給する酸化剤Ｐは、地下水Ｗ１に一般的に含有されている二価鉄を酸化させて三価鉄を析出させることができれば特に限定を必要としないが、例えば、この酸化剤Ｐとしては、次亜塩素酸ナトリウム、過酸化水素、塩素酸ナトリウム、オゾン、塩素等を挙げることができる。
【００３０】
また、鉄と同様、マンガンも目詰まりを引き起こすことが本願の発明者らによって確認されているため、酸化剤Ｐは、二価鉄だけでなく、地下水Ｗ１に溶存するマンガンも酸化し、水和二酸化マンガンなどとして析出させることが可能な物質を含むことが好ましい。
【００３１】
撹拌装置（混合装置）５は、スタティックミキサー等であり、酸化剤Ｐを添加した地下水Ｗ１が流通するとともに地下水Ｗ１と酸化剤Ｐを混合可能に構成されている。なお、地下水Ｗ１と酸化剤Ｐとを所望の状態に混合可能であれば、特にその構成（混合方法）を限定する必要はない。
【００３２】
次に、原水タンク３は、酸化剤添加手段１で酸化剤Ｐを添加処理した地下水Ｗ１を一時的に貯留するためのものであり、除去処理手段３のフィルター／ろ過装置のメンテナンス時に揚水井戸から汲み上げた地下水Ｗ１を一時的に受け入れて貯留可能な容量を有する貯留部６を備えている。
【００３３】
さらに、本実施形態の原水タンク３は、酸化剤添加手段１から送られた地下水Ｗ１を受ける供給口７ａ、及び供給口７ａから供給されて流通した地下水Ｗ１を貯留部６に送出するための排出口７ｂを有し、供給口７ａから供給された地下水Ｗ１が排出口７ｂから貯留部６に排出されるまでの流路長／容積が必要流路長／容積以上となるように形成された反応部７を備えている。本実施形態では、原水タンク２内を区画する複数の仕切板８を備え、これら複数の仕切板８を所定位置に配設することによって反応部７が形成されている。
【００３４】
また、原水タンク２は反応部７の流路Ｒ内を流通する地下水Ｗ１の流通方向、流速（時間当たりの流量）を制御するための処理対象水流通制御手段１０を備えている。本実施形態では、この処理対象水流通制御手段１０が軸線周りに回転する撹拌スクリューなどの撹拌機を備えて構成されている。
【００３５】
そして、撹拌装置５で酸化剤Ｐと混合した地下水Ｗ１が原水タンク２の反応部７の供給口７ａから供給され、処理対象水流通制御手段１０の駆動によって反応部７の流路Ｒを順次供給口７ａから排出口７ｂに流通する。このとき、反応部７の流路Ｒが所定の必要流路長／容積を備えて形成されていることにより、流路Ｒ内における酸化剤Ｐと地下水Ｗ１中に溶存する二価鉄やマンガンなどとの反応時間が十分に確保される。
【００３６】
すなわち、本実施形態の原水タンク２は、地下水Ｗ１中のほぼ全量の二価鉄やマンガンが反応部７で三価鉄や水和二酸化マンガンなどとして析出するように構成されている。
【００３７】
除去処理手段３は、原水タンク２の貯留部６から送られた地下水Ｗ１中のＳＳ成分（不溶性物質）や、酸化剤Ｐによって酸化された鉄及びマンガンをはじめとする不溶性／難溶性の酸化金属（不溶性物質）を除去するための設備であり、バネ式ろ過器を有するろ過装置１１を備えて構成されている。
【００３８】
バネ式ろ過器は、例えば、非常にさびにくい材質からなるステンレス（ＳＵＳ）を、特殊な線の形状に加工し、固いバネ線材をコイル状に巻いたバネ式フィルターの表面にプリコート材を付着させ、このプリコート材の堆積層（プリコート層）をフィルターとして地下水をろ過するように構成したものである。
【００３９】
また、バネ式フィルターを伸縮／弾性変形させるだけで、バネ式フィルターの表面に付着したプリコート材を剥落させて除去することができる。すなわち、地下水中のＳＳ成分や三価鉄等の酸化金属といった除去残留物をろ過して捕捉した段階でプリコート材を剥落させることにより、除去残留物をプリコート材ごと一緒に分離して回収できるように構成されている。
【００４０】
このようなバネ式ろ過器は、例えば、特開平８−１９６８２１号公報に開示されている液体ろ過フィルターエレメントや特許１８２２３１７号公報等に開示されているバネ式フィルターろ過装置等を挙げることができ、特に優れた自浄効果、逆洗再生機能を有している。
【００４１】
なお、上記のバネ式フィルターは、従来、排水（濁水）処理を主な目的として用いられているが、ろ過処理にあたり、最初の段階でバネ式フィルターにコーティングするプリコート材（ろ過助剤）を適切に選択することにより、バネ式フィルターでろ過される粒子径（ろ過精度）を定めることができ、精密なろ過を高速、且つ低圧で実現することができる。このような自浄効果を利用し、三価鉄が含まれる水をバネ式フィルターでろ過することで、三価鉄などを好適に除去することができる。すなわち、バネ式ろ過器には凝集剤等の添加物が不要である。
【００４２】
注水井戸４は、リチャージウェル、すなわち、地下水を帯水層内に注水ための公知の注水設備である。注水井戸４は、地下水位以深の地盤（帯水層）内に埋設されたスクリーン（注水部）４ａを備え、スクリーン４ａから注水井戸４内の地下水Ｗ２が帯水層内に注入できるように構成されている。また、注水井戸４の上端に蓋が取り付けられ、注水井戸４は密閉されている。
【００４３】
そして、上記構成からなる本実施形態のリチャージシステムＡにおいては、揚水井戸から揚水された地下水Ｗ１に酸化剤添加手段１で酸化剤Ｐが添加され、地下水Ｗ１中の二価鉄（やマンガン）を酸化し、三価鉄として析出させる。
【００４４】
析出された三価鉄やマンガン等の酸化金属を粘土粒子等のＳＳ成分とともに除去処理手段３でろ過し地下水Ｗ１から除去する。これにより、除去処理手段３によって地下水Ｗ１に含まれる目詰まり起因成分を除去することができる。
【００４５】
揚水井戸から揚水された地下水Ｗ１を注水井戸４付近の地盤Ｇの目詰まりの原因となる成分を除去して良好な状態にすることで、本実施形態のリチャージシステムＡ及びリチャージ工法によれば、地盤Ｇや注水井戸４のスクリーン４ａの目詰まりを防止し通水性能を良好に保持しつつ、汲み上げた地下水Ｗ１を地盤Ｇ中に戻すことができる。
【００４６】
一方、本実施形態のリチャージシステムＡにおいては、原水タンク２にノッチタンクのように２枚あるいは複数枚の仕切板８によって反応部７を設け、原水タンク２に投入する前に地下水Ｗ１に添加した酸化剤Ｐが十分に反応する滞留時間を確保することができる。
【００４７】
すなわち、反応部７によって原水タンク２内に供給した地下水Ｒ１の流路Ｒを定め、さらに、反応部７が貯留部６に排出されるまでの流路Ｒの必要流路長／容積を備えて形成されているため、反応部７の流路Ｒ内で酸化剤Ｐと十分に反応し、二価鉄を酸化させて不溶性／難溶性の三価鉄にすることができる。
【００４８】
さらに、このとき、本実施形態の原水タンク２は反応部７の流路Ｒ内を流通する地下水Ｗ１の流通方向、流速（時間当たりの流量）を制御するための撹拌機などの処理対象水流通制御手段１０を備えている。このため、この処理対象水流通制御手段１０の駆動制御によって、より確実に反応部７の流路Ｒ内で酸化剤Ｐと反応し、二価鉄を三価鉄に変化させることができる。また、処理対象水流通制御手段１０の駆動制御によって、酸化剤Ｐを地下水Ｗ１と好適に混合撹拌させることもできる。
【００４９】
そして、本実施形態のリチャージシステムＡ及びリチャージ工法では、仕切板８で形成された反応部７の排出口７ｂから、二価鉄やマンガンを不溶性の三価鉄や水和二酸化マンガンに変化させた状態の地下水Ｗ１を貯留部６に供給することができる。
【００５０】
これにより、原水タンク２の貯留部６から送られた地下水Ｗ１を除去処理手段３のろ過装置のバネ式ろ過器でろ過することで、ＳＳ成分とともに三価鉄や水和二酸化マンガンなどの三価金属を除去することできる。
【００５１】
すなわち、本実施形態のリチャージシステムＡ及びリチャージ工法においては、従来と比較し、注水井戸４から地下水Ｗ２を地中の帯水層に返送して注水する際に、注水井戸４のスクリーン４ａや注水井戸４付近の地盤Ｇの間隙に目詰まりが生じることを抑止することができる。
【００５２】
よって、本実施形態のリチャージシステムＡ及びリチャージ工法によれば、長期にわたり好適に注水井戸４の通水性能を維持することができ、リチャージシステムＡ及びリチャージ工法の性能／効率を大幅に向上させることが可能になる。
【００５３】
ここで、上記のように地下水Ｗ１中のＳＳ成分や鉄などを効果的に除去処理手段３のろ過装置で除去する。このため、ろ過装置を逆洗などしてメンテナンスすることが必要になる。
【００５４】
このとき、本実施形態では、原水タンク２を設け、且つこの原水タンク２の貯留部６が洗浄時間中に貯まる地下水を貯留しておくだけの容量を確保して形成されている。言い換えれば、本実施形態の原水タンク２は、洗浄頻度や洗浄時間に応じてその形状、容量が設定されている。
【００５５】
これにより、本実施形態のリチャージシステムＡ及びリチャージ工法においては、従来のようにろ過装置のメンテナンス時に揚水井戸からの地下水Ｗ１の揚水を停止する必要がなく、汲み上げた地下水Ｗ１を下水道へ放流することを不要にできる。
【００５６】
より具体的に、ろ過時間をｔ、逆洗時間を△ｔとした場合、本実施形態のリチャージシステムＡ及びリチャージ工法でリチャージを行うサイクルは図３のように表すことができ、逆洗時間△ｔを加味したシステム全体として平均処理流量Ｑで流すための処理流量をＱ’とすると、Ｑ’は下記の式（１）となる。ちなみに、逆洗時間△ｔは１５分程度である。
【００５７】
【数１】
2018197469.tif 000003
【００５８】
これを踏まえ、本実施形態のリチャージシステムＡ及びリチャージ工法では、図４に示すように、平均処理流量（計画処理流量）Ｑを決め、揚水する地下水（対象水）Ｗ１の鉄濃度などの水質を確認し、予め作成した図５のようなバネフィルターの総表面積−１サイクルのろ過時間−バネ式フィルターの本数／長さ−対象水の鉄濃度の関係を参考にしてバネフィルターの本数などのろ過装置の仕様を定める。そして、逆洗時間、逆洗のサイクルタイムを決めるとともに処理流量Ｑ’を求め、このＱ’の収束状況を確認する。
【００５９】
このＱ’の収束が極力小さくなるようにすれば、効率的且つ効果的な処理を実現できる最適なサイクルタイムｔ＋△ｔ、処理流量Ｑ’を設定／決定することができる。
【００６０】
さらに、効率的且つ効果的で最適なサイクルタイムｔ＋△ｔ、処理流量Ｑ’での処理を実現するために、次のように原水タンクの仕様を設定／決定すればよい。
【００６１】
原水タンク３の貯留部６の容積をＶＡ、反応部の必要容積をＶＢ、酸化剤を投入してから所望の反応が完了するまでの時間をｔａｃｔとしたとき、下記の式（２）、式（３）を満足するように本実施形態の原水タンク３を構成する。
【００６２】
【数２】
2018197469.tif 000004
【００６３】
【数３】
2018197469.tif 000005
【００６４】
このように原水タンク３を構成すれば、確実に二価鉄を三価鉄に変え、フィルター／ろ過装置の性能を十分に発揮させ、効率的且つ効果的で最適な処理を実現することができる。
【００６５】
よって、本実施形態のリチャージシステムＡ及びリチャージ工法によれば、逆洗などのメンテナンスの頻度に応じて下水放流／リチャージのバルブ切り替えなどの煩雑な作業、操作を不要にできるとともに、下水放流に伴う下水道使用料などの大きな費用負担を不要にすることが可能になる。
【００６６】
以上、本発明に係るリチャージシステム及びリチャージ工法の一実施形態について説明したが、本発明は上記の実施形態に限定されるものではなく、その趣旨を逸脱しない範囲で適宜変更可能である。
【００６７】
本実施形態では、掘削工事等を行う現場に揚水井戸を設置し、揚水井戸から汲み上げた地下水Ｗ１を処理して注水井戸４から地中の帯水層に戻すものとして説明を行ったが、本発明は、例えば、汚染した地下水を地上に汲み上げて浄化処理した後に地中に戻したり、地上で排水などの水を処理し、地中に注水する際に適用してもよく、特にその用途を限定する必要はない。
【００６８】
さらに、必要量を上回る酸化剤Ｐを添加し、除去処理手段３で処理された地下水Ｗ２中の酸化剤Ｐの残量（すなわち、地下水の酸化還元電位として検知される酸化剤の量）が所定値以下になるまで還元剤を添加する還元剤添加手段を設け、還元剤を添加した後の地下水Ｗ２を注水井戸４から帯水層に注水するように構成してもよい。
【００６９】
また、本実施形態では、原水タンク３の反応部７、及び地下水Ｗの流路Ｒが２枚の仕切板８で形成されているものとしたが、仕切板８の枚数を限定する必要はなく、さらに、仕切板８で流路Ｒが形成されている必要もない。また、可動式の仕切板８を設け、貯留部６の容量、反応部７の流路長／容積が調節可能に構成されていてもよい。
【符号の説明】
【００７０】
１      酸化剤添加手段
２      原水タンク
３      除去処理手段
４      注水井戸
４ａ    スクリーン
５      撹拌装置（混合装置）
６      貯留部
７      反応部
７ａ    供給口
７ｂ    排出口
８      仕切板
１０    処理対象水流通制御手段
１１    ろ過装置
Ａ      リチャージシステム
Ｇ      地盤
Ｐ      酸化剤
Ｗ１    地下水（対象水）
Ｗ２    処理後の地下水
【図１】
2018197469.tif 000006
【図２】
2018197469.tif 000007
【図３】
2018197469.tif 000008
【図４】
2018197469.tif 000009
【図５】
2018197469.tif 000010
【図６】
2018197469.tif 000011